(57)【要約】      （修正有）【課題】バイヤス伸縮地の欠点のねじれを直す、三方向伸張・伸縮縫製方法の提供。【解決手段】布地左バイアスと右バイアスを縫い合せ縦織方向矢印方向として矢印方向を引張り上げ布地の左バイアス右バイアスが縦地に無理縫いすると三方向伸張性状態布地はピーンと張った自動車シートに用いると三方のオートマ伸張の機械布地が出来上る。【選択図】図１
2006225830.tif 000002
【特許請求の範囲】
【請求項１】
布地を機械的バネで伸張状態布地で維持出来る、三方向伸縮性布地の製法であって、１番目「１」バイアス左布２番目「２」バイアス右布を合致（縫製・接着）「３」一枚布として次に３番目「５」の縦布を用いて、１番目と２番目バイアス布にダーツ分量の削除「４」を形成し、バイアス脇左布増量「６」とバイアス脇右布増量「７」を形成して、次にバイアスダーツ分量分「４」をつまみ縦布「５」に引張って無理縫すると、バイアス布増量分「６」と「７」はダーツ「４」の削除分方向に引張られ吸い取られると、バイアス布左右１−２は伸上り状態で次の縦地に第２ステッチで糸織左１’とカーブ状糸織２は縦布地５」で三方向伸張機能が発生してピーンと引張り三方向が制御される布地のバネ力製法は左右バイアスの欠点（ねぢれ現象）逆利用でねぢれ「反撥を三方向で制御を自動的にさせる」〔図１〕ことを特徴とする布地製法。
【請求項２】
伸張性バイアス布地の欠点寸法以上に布地の重さでたれ下り現象を直す方法であって、例えばシャツ背肩ヨーク縦地で吊り上げる為にバイヤス左右上中央にＶカットダーツ（１０）を形成してたれ下るバイアス背ダーツ分を背肩ヨーク上向って吊り上げ縫い合せる、たれ下りを持ち上げるＶ字型ダーツ（１０）と背肩ヨーク縦地（５）で対面する吊り上げ縫い完了（１１）でバイアスたれ布地がダーツ（１０）は縫い込まれるとバイアスたて布地はダーツで水平ヨーク縦地５に引上げるとたれ下りドレープを起さないバイアス布を制御する縦布又は横地の裁断による図２の布地のつり伸張させることを特徴とするバイアス布地の引き伸び分量をつり上げ縫製方法。
【請求項３】
布地の縦地とバイアス地で立体伸縮性制御する方法であって、パンツ機能立体、図３（ｄ）〜（ｇ）の方法図で（ｄ）フロント局部膨３Ｄと（ｂ）尻部２ヶ膨３Ｄの肉体構造に的した布地を伸張・伸縮で三方ダーツで布地を立体肉体構造に密着させるダーツ１２〜１３尻ダーツと局部ダーツ左１５とダーツ右１４を形成し縫い合せると３ヶ所立体３Ｄが出来る図３（ｄ）〜（ｇ）は後身又は後身一部マチ布だけ左バイアス１と右バイアス２と縦地５に伸張ダーツ尻１２〜１３と局部ダーツ１４〜１５左右バイアス布地を引張ることを特徴とする請求項１に記載の「反撥を三方向で制御を自動的にさせる」ことを特徴とする布地製法。
【発明の詳細な説明】
【発明の詳細な説明】
【０００１】〔発明の属する技術分野〕本発明は布地の左バイアスと右バイアスの矢印方向で中央を縫い合せ、その中央部タック分量を削除滅量の布分量を背後脇左と脇右に付け変え増量して中央滅量部を矢印方向に引張ると伸張状態布地の製造方法に関する。
【０００２】〔従来の技術〕従来、例えば米国特許６８００１５９Ｂ２号特開２００２−１１５１１６号に開示されているように「左バイヤスと右バイヤスの交差張力を活用した裁断による縫製方法が知られている。
これらの方法によれば〔図６〕（ａ）〜（ｈ）に示されるように先ず裁断図でも分る様に裁断ノッチが大量生産合印出来ない難点図と〔図７〕（ａ）〜（ｋ）も難点図で有り、バイヤス布地は、ねぢれる事が欠陥で有るのでそのねぢれを直す目的が芯地や裏地のバイヤス布を加える方法はバイヤス布地のねぢれを生す方法ではない。
【０００３】〔発明が解決しょうとする課題〕しかしながら、この方法により、バイヤス単衣左〜右交差で縫製すると、布地が伸び上りを有するために、伸び上りであり縮む復元力が弱く、本発明の表地に芯地バイヤス交差や裏地のバイヤス交差の以外の単衣布地で立体感のあるパンツやパンティストッキング、さらに自動車の座席シートの型くずれ防ぐ類は作ることが出来ない。
【０００４】そこで、本発明の目的は、上記の点に鑑み、バイヤス伸縮地の欠点ねぢれ布を逆点の発想で、自動車の座席の斜め弛（ｓｌａｃｋｅｎ）凹部をヨレヨレしたりすることなく立体的伸張状態で縦布地とバイアス左張力とバイアス右張力布の３方向の張力でバイヤス左右を引張って縦布地に合体方法で座席布を伸張状態で提供することにある。衣類においてもピーンと張ったパンツ。パンティストッキングの左足と右足の運動能力を豊かにすることにある。以上に述べた本発明の目的及び特徴は以下の記載から明かである。
【０００５】〔課題を解決するための手段〕本発明の発明者は、ポリウレタンセンイの伸縮性方向に左高分子と右高分子の伸縮性糸二方向糸織られた正方形布地が重力で右カーブでたれ下る伸縮性を発見で、通常の布地も正バイアス伸縮しない織組に気付いたので本発明者は特開２００２−１１５１１６号に左バイヤスと右バイヤスと区別の張力で開示された本発明は２００４年１０月５日、米国特許成立した左バイヤス布と右バイヤス布に第三の布を土台（支点）縦地の布地を引張る左〜右の矢印方向に短い寸法ダーツで引張る３方伸張布原理を発見発明した両バイヤス布の曲線Ｙ字型バネ伸張状態原理が米国特許６８００１５９Ｂ２号の左バイヤス、バネと右バイヤス、バネをさらに進化させたＹ字型バネの三方向性バネ原理が発明された三方張力法である。
三方力学原理で３Ｗａｙ  Ｙ−ｓｈａｐｅ製御で元に戻す方法鋭意研究を重ねた結果、本発明を完成させるに至った。
【０００６】即ち、請求項１記載の発明は、伸張性バネ状態を左バイアス伸張と右バイアス伸張の縫い合に第２縫目又は接着布に縦地布をＴ字型縫い合せてピーンと前後左右を引張ると左右バイアス布はねぢれ現象を起し３枚布縫い合せＴ字型が、伸張してＹ字型の三方向変化するねぢれバネ伸張状態布地が出来てピーンと引張る布の伸縮を制御する布地バネの製造方法。
【０００７】請求項２記載の発明は、左バイアス布地は左方向にたれ右バイアスは右たれ下り現象の欠陥が有り、その布地の重さでたれ下り現象が起る、宿命布地の左バイアスと右バイアス地縫い合せて下り分量をその上部でカットダーツＶ削滅、して削除方法でカットして、上部縦地につり上げて第２縫い合せでＴ字型縫目でたれ下り現象を防止することが出来る
【０００８】請求項３記載の発明は、布地の縦地とバイアス地で３Ｗａｙ立体伸縮性制御と、３ヶ所凸状３Ｄ構造を有する布地の左右バイアスと縦地で縫い合される方法であって、バイアス布をカーブした曲りバネと縦地の曲るバネでＹ字型三方の曲る（ねぢれ）織糸バネで伸縮性の３方凸部３Ｄ構造を有する立体布地を法裁断で３Ｄ構造立体布地を製造する。
【０００９】本発明の布地の伸張機能と伸縮機能三方向ねぢれその１、布は左ねぢれ布と右ねぢれ布と縦Ｖねぢれ布によって、伸張バネ状態長期維持を制御する布地弾性張力で形成する事が出来る。
その２、ポリウレタン布地が伸縮性で大きくたれ下る布地重力も、二方の張力例えば左バイアスは右方向たれ下り、右バイアスは左方向にたれ下るので中央第１ステッチで縫い合せると、今度は中央下方向に一方向たれ下り分量を直す目的で、上部に縦布地一方向で吊り上げる方法（請求項２）で３方向にするダーツ部を形成分を吊り上げると、たれ布分量はダーツ分を第２ステッチで縫い合せると、たれ下り布下部は持ち上るとＴ字形縫製される、三方向布地。
その３、布地を３Ｄ凸状立体構造を伸縮性制御する。
３方向布地の中央部にダーツカットや３方向布地に３方向ダーツカット削滅布地をＴ字型に縫い合せて、次に３方向に引張状態でＹ字形の３方向曲る布ねぢれを起す、張力を有する３Ｄ凸立体構造が形成され、きちっとした自動車座席シート・ｂａｇ・靴・ネクタイ・シャツ襟及びパンツの立体伸縮と３ヶ凸部構造衣類を縫製することが出来る。
【００１０】〔発明の実施の形態〕以下、本発明の実施の一形態を図に基づいて説明する。図１（ａ）〜（ｆ）は伸張性バネ状態の三方向伸張布地の二方向左バイアス１と右バイアス２を縫い合せ３は、本発明の第一縫製方法の基本的な手順を説明する。即ち最初に左右バイアス布地１、２をそれらの縫製３が完予した時にバイアス布両地片に中央部に逆さＶ字型ダーツカット又は削滅カット４を形成はバイアス左右伸張のＶ方向に対して、逆Ｖカット４は反対方向カットつまり喧嘩ｑｕａｒｒｅｌ方向カットの伸張性意味するカット方向に前方の縦布５と左右バイアス地１、２を無理に第２ステッチ１１で縫い合されるとバイアス左右に喧嘩伸張はこの逆方向ダーツで起るとバイアス織目が曲る方向に縦布地５に喰いつかれたのが本発明の伸張でピーンと張った、喧嘩３方伸張でＴ字型の縫い合ステッチ１１を形成。
【００１１】次に図１（ａ）に示すように重ね布又は皮Ａの表布を用い裏側バイアス布（左右）芯地バイアスの役目してする伸張布地で引張られる時左脇６と右脇７は凸部引よせ布は４逆Ｖカット方向に引込まれ増量分は縦地５に引取られると、ピーンと引張られ布が発生する。伸張縫製
【００１２】その次図１（ｃ）の方法は、左右バイアス地１〜２を第１ステッチ３で縫い合せ、次に縦地又は横地５を第２ステッチでＴ字型で縫製が完了してから、左右バイアスＶ字方向に喰込逆Ｖダーツカット４を形成してＶバイアス１・２を引張る伸張図１（ｄ）左カーブバイアス２’と右カーブバイアス１’の伸張力を用いた自動車用座席シートは、アクセルとブレーキのタイミング伸縮反動ｒｅａｃｔｉｏｎ伸張伸縮ブレーキ効果を有するシート機能が発生する（ｅ）〜（ｆ）の伸縮性糸の張力は平均左も右も１／７〜１／８
2006225830.tif 000003
同様の左バイアスポリウレタンと右バイアスポリウレタン張力同寸法よる。
【００１３】図２（ａ）〜（ｂ）はバイアス布地の重さで傾くｌｅａｎ現象で勝手に伸び上り布中央上部を引張り上げる方法でバイアス地にダーツ部Ｖカットして縦地５までつり上げてＴ字形縫１１で縫い合せる、つり上げ縫製。
【００１４】立体方法図３で（ａ）〜（ｇ）はパンツの立体凸部構造の有する３Ｄ伸縮で（ｄ）は前面凸部（ｂ）は後面凸部２ヶ構造を有してダーツ１４・１５を型成斜地と縦地の一部分である（ｃ）は（ａ）と（ｂ）を一枚布で説明図（ｄ）は実物縮小パンツを裁断後身にバイアス布を使用した、カッティング方法。（ｅ）は後身と前身の出来上り図である。（ｆ）はその方法と同じでの脇ハギのパンツで（ｇ）はその出来上り図である。
立体凸部構造を有する３方向伸縮の自動車シート方法をパンツにする布地の組せの法則の方法であって２〜３ヶ所立体３Ｄ構造する布地の方法であって、後面立体左（１４）その右立体（１５）の２ヶ所立体構造を、かみわけＤｉｓｅｒｉｍｉｎａｔｉｏｎして次に前面立体（１６）パンツ１ヶ所立体凸部を形成する目的で、まず後面立体用バイアス布左布と右布中央にダーツ分カットの１２、１３尻グリカット両方に形成し左バイアス布（１）に左股グセ（１５）と右バイアス（２）右股グセ（１４）、次に前面縦布地（５）の立体用は、後面バイアス布地の左バイヤス（１）に左ダーツ用カット（１６）を形成し右バイアス（２）も右ダーツ用カット（１６）を形成して両方布地は中央で縫い合されて尻グリ両方となると、２ヶ所立体左右凸部布地が形成さらに（１４）〜（１５）両ダーツ分量は次の第３用立体１４、１５を形成に用いられる、前面縦地（５）布地と後面左右バイアス（１）〜（２）が合体縫い合せる時ダーツ分量（１４）〜（１５）は前面縦地（５）布地引き取るｒｅｔｒｅａｔ又は引っぱるＰＵｌｌで縫着１２、１３Ｔ字型で３ヶ目の立体１２、１３凸部が出現する布地織糸ねぢれバネを形成して制御するバネの立体布地の裁断・縫製の３Ｄの伸縮性を有する機能性衣服
【００１５】立体方法その２、図４（ａ）〜（ｂ）は図３（ａ）〜（ｇ）の立体構造の丈長、股引きｄｒａｗｅｒｓロング下着である
【００１６】立体方法その３、図５（ａ）は綾織ジィーンズ布地の右綾織の右方向バイヤス伸縮を有する布地でパンツ（ｂ）〜（ｃ）に３方向伸縮を有する３立体凸部構造のジィーンズパンツ
図５（ｄ）〜（ｆ）はパンティストッキングーパンツに同じく立体構造を有する３方立体伸縮パンツに左と右バイヤス、マチ付ダーツ加えて左足と右足のマチを変えた、股引構造パンストであるので、前進と後進の足動きがスムースで立体感ある構造が可能なパンティストッキングの縫製が出来る。
【００１７】〔実施例〕（実施例１）
本発明の方法により、左バイアス布地と右バイアス布地を縫いせでのＶ織地を用いて、自動車座席シートをＶ字下方向を伸張状態で圧着接着した図５（ａ）（写真）に示す自動車座席シートのダーツ４を作製するには、図１（ａ）〜（ｆ）に示す本発明の縫製伸張方法を用いて同様の手順で縫製伸張した。この方法は図１（ｂ）に示すようにバイアス布地の左バイアス布地１と右バアス布地２と皮布Ａを乗せて中央部縫３、ステッチで縫い合せるバイアス矢方向にダーツカット削除４を前方縦地方向に引張ると左右不足分布地が発生する左脇６の加増ｉｎｃｒｅａｓｅと右脇７も加増ｉｎｃｒｅａｓｅすると図１（ｆ）バイアス布地は曲線に変化する左バイアス１’と右バイアス２’となって前方縦地５と伸張状態で縫い合されると、Ｔ字型縫製部がＹ字型の引張状態自動車シートはアクセルの次にブレーキ踏み台ｓｔｅｐ伸縮反動ｒｅａｃｔｉｏｎ急ブレーキ出来る自動車シートは座席づれ（すべり）も起さない、ブレーキを感知するシート。
【００１８】〔実施例２〕伸張性でバイアス地は布地の欠点と云われるのは布地の重さで布寸法以上に斜めたれ下るのでそのたれ下り分量をつりあげて削除する方法の図２（ａ）のシャツ肩ヨーク縦地５に左右バイアス織方向Ｖ字の上部をつり上げ縫い合せ１１でたれ下り分量をつりあげて削除出来た、又バイアス撚り糸左右（ｂ）Ｖ字の逆方向がつり上げ伸張性方法である
【００１９】〔実施例３〕図５（ａ）〜（ｂ）図（ａ）〜（ｆ）に示すようにまず左バイアスと右バイアスの伸張性と伸縮性をオートマチックにバネ状態布地にする方法あって、バイアス布地の欠点ねぢれ伸上りを逆利用した、製品を制作した実物写真の通り、図５（ａ）自動車座席の斜め「しわ」の欠点は右方向ねぢれる「しわ」図６（ｂ）右欠陥伸布とポリウレタン糸も綾織布も右方向の方が伸上る現象がある。その実例は図６（ａ）のＴシャツは左方の脇下だけ先に穴がアク現象は左腕下が伸び上りが少ないので起る丸編ニット地も右方向に良く伸び上るさらにＢａｇ布も、靴も、ネクタイも、右方向のねぢれ現象が起り、靴も左側靴が伸縮性が少ないので左側の足の方がきついのは、布帛地ニット編地を従来通り縦地でも左側方向が伸びが少ないので左側斜め布地は裏側使用するしか方法がない、つまり右方布は表地左方布は裏側布地使用で右布と左布伸縮性が共通するので図６（ａ）の丸編Ｔシャツは胴体布地は編方向「左進行編」右伸び使用、次に袖はその布を裏側「右進行編」サンプルをグンゼ（株）に依頼試作の図６（ｂ）新Ｔシャツとパンツ、又写真の自動車シート試作図も本発明者米国特許Ｂｉａｓ．ＳＴＲＥＴＣＨＡＢＬＥ６８００１５９号依頼試作である、さらにバイアス左布右布交差のＢａ９、靴、ネクタイも米国特許６８００１５９号に縦地を加えた３方向伸張原理で試作写真又は図である図５（ａ）〜（ｂ）と図６（ａ）〜（ｆ）で完成の布地は、左ねぢれ又はたれ下りシワを起す事はない。通常正バイアスはあやまりで、布地のバイアスは片方（例えば左バイアスに問題が有る事に気付かれていない。）布地左バイアス方向は右布バイアス方向よりも伸縮性が少ない（米国特許６８００１５９Ｂ２号図１（ａ）〜（ｂ）左４２右４２は「右４２」よりも左バイアス布地重力でたれ下り率は少ない、日本時間２００２−１１５１１６号も同じ）この発見発明によって続けて本発明の基本でも左布バイアスと右反対布で右バイアスに区別して伸縮性率を同率を求めた方法である。
【００２０】〔発明の効果〕本発明のバイアス布左右と縦地の三方伸張、三方伸縮効果の裁断法による縫い着の製法によれば、まず自動車運転中の座席でアクセル右踏足の座席の重力は右尻座席で支えられて、走行し、次に急ブレーキを気付いた時、アクセルから足が放れる瞬間運転中座席重力は左尻座席で支えられて急ブレーキが出来る装置ａｐｐａｒａｔｕｓで感知する目的で自動車座席シートにアクセル用の尻バイアス布伸張右用・右尻で、次の急ブレーキ用左尻でバイアス布伸張する目的でピーンと張った座席布縦地でコントロール伸縮が出来る目的で三方伸張の自動車運転者用シートで急ブレーキが掛けやすくする目的でアクセルの次のブレーキはバイアス布左尻シート重力を支える働きをするので、瞬間ブレーキを肉体的に感知する布地ねぢれ伸張力は、自動車シートだけにとゞまらず、パンツの左足右足運動にも布地の効果的作用で前身は縦地で後身は左尻は左バイアスで右尻は右バイアスを用いる事で左足歩行運動と右足歩行運動が交互なる効果が有り、さらに本発明は凸型立体３Ｄでセクシーな美形パンツも三方向の伸張性と伸縮性も重わ合されて機能する物で、本発明はこれらに限定されるものではない。Ｔシャツの三方向、伸縮性や、ＢＡＧの凸型３Ｄや、靴の３Ｄやネクタイの３Ｄ機能によって出来上る立体布地の裁断布地縫製方法。
【図面の簡単な説明】〔図１〕（ａ）〜（ｆ）は本発明の第１の裁断と縫製方法の手順を模式的に示す説明図である。
〔図２〕（ａ）〜（ｃ）は、本発明の第２の裁断と縫製方法の手順を模式的に示す説明図である。
〔図３〕（ａ）〜（ｇ）は、本発明の第１、第２及び第３の裁断と縫製方法の手順を模式的に示す説明図である。
〔図４〕（ａ）〜（ｂ）は、本発明の第１〜第３の裁断と縫製方法の手順を模式的に示す説明図である。
〔図５〕（ａ）〜（ｆ）は、本発明の第１〜第３の裁断布地と縫製方法の手順を模式的に示す説明図である。
〔図６〕（ａ）〜（ｇ）は本発明の実施例、自動車シーツとショートパンツを製作した見本写真と従来パンツの比較した裁断布地図によって、新製作出来たパンツと自動車シート図の出来上り写真の手順を模式的に示す説明図である。
〔図７〕（ａ）〜（ｂ）は本発明の実施例第１〜第３の裁断方法の手順を模式的に示す説明図である。
【符号の説明】
１  布地織縦地バイアス左方向（編布地縦布方向左）
２  布地織縦地バイアス右方向（編布地縦布方向右）
１’  布地織縦地左バイアス１の曲った織現象
２’  布地織縦地右バイアス２の曲った織現象
Ａ  表皮又はその他布地
３  中央第一ステッチで、左バイアスと右バイアス布を縫い合せ（皮布も加入Ａで３枚布も有る）１番目ステッチ。
４  左バイアスと右バイアス布地縫い合せ下にダーツカット穴削除後凹部伸張する用ダーツ進行Ｖ字型下方
５  縦布地（布帛及び編地縦で左右バイアスの支点布）
６  左バイアス脇部の増量ダーツ部（４のダーツカット削除分の）
７  右バイアス脇部の増量ダーツ部（４のダーツカット削除分の）
８  左バイアス方向ポリウレタン糸高分子の伸張性
９  右バイアス方向ポリウレタン糸高分子の伸張性
１０  右左バイアス縫い合せ矢印縦地後方ダーツ穴カット削除後つり上げ部Ｖ字下方
１１、伸張の目的バイアス布ダーツが縫い合せ後箇所。
１２、右バイアス織矢方向ダーツカットの（パンツで後尻部）削除右グリカット部
１３、左バイアス織矢方向ダーツカットの（パンツで後尻部）削除左グリカット部
１４  右バイアス織矢方向後小股下部右ダーツカット部
１５  左バイアス織矢方向後小股下部左ダーツカット部
１６  左右バイアス２枚布と縦地の伸張で出来上ったパンツ
１７  従来のＴシャツその他の欠点左脇下穴アキは左腕非伸張性
１８  本発明のＴシャツは胴体布はそのまゝで両腕は裏側布で伸縮
１９  本発明ＢＡＧで胴体左右バイアスで手持部縦布使用
２０  本発明靴布左足左バイアス右足右バイアスで爪先縦布
２１  ネクタイ布地で表布右バイアスで芯地左バイアスで左右伸縮性
２２  自動車座席シート写真に本発明の伸張機能方式説明図
【図１】
2006225830.tif 000004
【図２】
2006225830.tif 000005
【図３】
2006225830.tif 000006
【図４】
2006225830.tif 000007
【図５】
2006225830.tif 000008
【図６】
2006225830.tif 000009
【図７】
2006225830.tif 000010